(57)【要約】      （修正有）【課題】携帯電話に組み合わせるのに適合し、写真やビデオ撮影機能の操作が利便になるスマートフォン用カメラ補助装置を提供する。【解決手段】スマートフォン用カメラ補助装置１００は、把持部１２０及び無線通信ユニットを備え、把持部１２０は手で握るのに適する曲面１２１と、側面部１２２と、携帯電話固定部１２４と、を有する。携帯電話固定部１２４は携帯電話を固定させるために用いられる載置空間を提供する。無線通信ユニットは把持部１２０上方に設置され、且つカメラボタン１４２を有する。手で把持部１２０を握った際に、指でカメラボタン１４２を押すと無線通信ユニットが携帯電話に対して撮影命令を発信させる。【選択図】図１
0003220346.tif 000002
【実用新案登録請求の範囲】
【請求項１】
手で握るのに適する曲面と、側面部と、携帯電話固定部と、を有する把持部であって、前記側面部前記曲面と前記携帯電話固定部との間に連接され、前記携帯電話固定部はスマートフォンを固定させるための載置空間を提供する把持部と、
前記把持部上方に設置され、カメラボタンを有する無線通信ユニットであって、使用者が手で前記把持部を握った際に、指で前記カメラボタンを押すと前記無線通信ユニットが前記スマートフォンに対して撮影命令を発信させる無線通信ユニットと、を備えることを特徴とする、
スマートフォン用カメラ補助装置。
【請求項２】
前記側面部にはネジの回転を制御するように前記ネジに連結されるロックつまみが設けられ、前記ネジは前記携帯電話固定部の表面から突出することを特徴とする請求項１に記載のスマートフォン用カメラ補助装置。
【請求項３】
前記把持部の前記携帯電話固定部は２つの保持壁及び凹部を有し、前記２つの保持壁は前記携帯電話固定部の前記表面に対して垂直になり、前記凹部は前記携帯電話固定部の前記表面に位置され、前記ネジは前記凹部の内部から外に向けて突出することを特徴とする請求項２に記載のスマートフォン用カメラ補助装置。
【請求項４】
前記携帯電話固定部に装設するのに適合するホルダーを更に備え、前記ホルダーは凸部を含み、前記凸部は前記凹部に固定するのに適合することを特徴とする請求項３に記載のスマートフォン用カメラ補助装置。
【請求項５】
前記ホルダーは伸縮構造と、２つの挟持板と、ネジ穴と、を備え、前記２つの挟持板は前記伸縮構造の両端にそれぞれ位置され、前記ネジ穴は前記ホルダーの前記凸部に開設され、且つ前記凹部の前記ネジに対応させるために用いられることを特徴とする請求項４に記載のスマートフォン用カメラ補助装置。
【請求項６】
ケースを更に備え、前記ケースの背面には、前記携帯電話固定部の前記凹部中に対応するように挿入するための凸部を有し、且つ前記凸部には前記凹部内の前記ネジに対応させるためのネジ穴が設けられることを特徴とする請求項３に記載のスマートフォン用カメラ補助装置。
【請求項７】
前記把持部には上部を有し、前記上部は前記無線通信ユニットを収容するための収容溝が設けられることを特徴とする請求項１に記載のスマートフォン用カメラ補助装置。
【請求項８】
前記把持部の前記収容溝の内部にはバンプを有し、前記無線通信ユニットは溝部を有し、前記溝部が前記バンプに対応させることでスライド機構が構成されることを特徴とする請求項７に記載のスマートフォン用カメラ補助装置。
【請求項９】
前記把持部は前記収容溝の外部に位置されるリリースボタンを有することを特徴とする請求項７に記載のスマートフォン用カメラ補助装置。
【請求項１０】
前記無線通信ユニットはブルートゥース（登録商標）素子を備えることを特徴とする請求項１に記載のスマートフォン用カメラ補助装置。
【考案の詳細な説明】
【技術分野】
【０００１】
本考案は、スマートフォン用カメラ補助装置に関し、更に詳しくは、無線送信機能を有するカメラ補助装置に関する。
【背景技術】
【０００２】
科学技術の日々の進歩に伴い、スマートフォン、タッチパネルを有する携帯電話、タッチパネルが配備される携帯情報端末  （Ｐｅｒｓｏｎａｌ  Ｄｉｇｉｔａｌ  Ａｓｓｉｓｔａｎｔ、ＰＤＡ）等の携帯型電子装置がより高速なインターネットアクセスや情報処理等の機能を提供するようになっている。
このため、ほとんどの人が携帯型電子装置を所有するようになっており、従来のタッチパネルを有するスマートフォンにおいては１人１台の時代に入り、大部分のスマートフォンにはカメラ機能が備わっている。よって、多くの人が日常的にスマートフォンに備わるカメラ機能を利用して日常生活の様子を記録している。特に、パーティー等の場面で撮影を行う際には、スマートフォンに備わるカメラ機能を使用してカメラを代替するようになり、重いカメラを持ち込む面倒を省くようになっている。
【考案の概要】
【考案が解決しようとする課題】
【０００３】
しかしながら、タッチパネルを有するスマートフォン、例えば、ｉＰｈｏｎｅ（登録商標）シリーズやＡｎｄｒｏｉｄ（登録商標）搭載の携帯電話等に内蔵されるカメラ機能の多くは、タッチパネルを利用して命令を入力することでカメラの動作を実行させている。しかし、指やスタイラス（登録商標）でタッチパネルをクリックするのは、カメラを使用するのに比べて明らかに操作性が悪い。
また、スマートフォンのタッチパネルに表示される仮想ボタンには実体がないため、使用者が操作時に仮想ボタンのない位置を押しやすく、入力したい命令を確実に入力できず、操作が不便であった。操作状況によっては、指でタッチパネルを押す際に画面が部分的に隠れてしまうだけではなく、使用者が両手を使用しなければ携帯電話を持つ動作とカメラ操作を同時に行えず、且つ携帯電話が提供する把持空間も不足していた。このため、携帯電話を使用して撮影する場合、使用者が携帯電話を安定的に把持するのが難しく、携帯電話を落としやすくなった。  
【０００４】
そこで、上記の欠点に鑑みて、本考案者は、タッチパネルを有する携帯型電子装置に応用可能な操作補助キットを見出し、タッチパネルを使用して携帯型電子装置のカメラ機能を操作する際の不便を改善する。
【課題を解決するための手段】
【０００５】
上述した課題を解決し、目的を達成するための本考案に係るスマートフォン用カメラ補助装置の特徴は、把持部及び無線通信ユニットを備え、携帯電話に組み合わせるのに適合し、写真やビデオ撮影機能の操作が便利になる。把持部は手で握るのに適する曲面及び携帯電話固定部を有する。携帯電話固定部は携帯電話を固定させるための載置空間を提供する。無線通信ユニットは把持部上方に設置され、且つカメラボタンを有する。使用者が手で把持部を握り指でカメラボタンを押すと、無線通信ユニットが携帯電話に対して撮影命令を発信させる。
【０００６】
本考案の好適例において、把持部の曲面にはネジの回転を制御するようにネジに連結されるロックつまみが設置される。ネジは携帯電話固定部の表面から突出し、携帯電話のケースが把持部にロックされる。
【０００７】
本考案の好適例において、把持部の携帯電話固定部には２つの保持壁及び凹部を有する。２つの保持壁は携帯電話固定部の表面に対して垂直になり、凹部は携帯電話固定部の表面に位置され、ネジは凹部の内部から外に向けて突出する。
【０００８】
本考案の好適例において、上述のスマートフォン用カメラ補助装置は携帯電話固定部中に装設するのに適合するホルダーを更に備える。ホルダーは凸部を含み、前記凸部は携帯電話固定部の凹部に固定するのに適合する。
【０００９】
本考案の好適例において、ホルダーは、伸縮構造と、２つの挟持板と、ネジ穴とを備える。２つの挟持板は伸縮構造の両端にそれぞれ位置され、ネジ穴はホルダーの凸部に開設され、挟持板は携帯電話を挟持させるために用いられ、伸縮構造は携帯電話を挾むのに必要な収縮力を提供し、ネジ穴は携帯電話固定部の凹部のネジに対応するために用いられる。
【００１０】
本考案の好適例において、スマートフォン用カメラ補助装置はケースを更に備え、ケースの背面には、携帯電話固定部の凹部中に対応するように挿入するための凸部を有し、且つ凸部には凹部内のネジに対応させるためのネジ穴が設けられる。
【００１１】
本考案の好適例において、把持部の上部には、無線通信ユニットを収容するための収容溝を有する。
【００１２】
本考案の好適例において、把持部の収容溝の内部にはバンプを有し、無線通信ユニットは溝部を有し、溝部がバンプに対応させることでスライド機構が構成される。
【００１３】
本考案の好適例において、把持部は収容溝の外部に位置されるリリースボタンを有する。リリースボタンが押されると収容溝中に装設された無線通信ユニットが取り外される。
【００１４】
本考案の好適例において、無線通信ユニットは、ブルートゥース（登録商標）信号により携帯電話に撮影命令を伝送するブルートゥース素子を備える。
【考案の効果】
【００１５】
本考案のカメラ補助装置により、スマートフォンを使用して撮影を行う際に、手で把持する安定性が増し、カメラボタンを押す利便性が向上する。また、本考案のカメラ補助装置は無線通信ユニットを有し、これが携帯電話と組み合わせられることで実体のある回路に接続させずに両者をより高速に組み合わせ可能となる。
【図面の簡単な説明】
【００１６】
【図１】本考案の第１実施形態に係るスマートフォン用カメラ補助装置の正面及び背面構成を示す概略図である。
【図２】本考案の第１実施形態のブルートゥースモジュールの取り外し構造を示す概略図である。
【図３】本考案の第１実施形態のカメラ補助装置を示す使用の概略図である。
【図４】本考案の第１実施形態のカメラ補助装置及びホルダーを示す組み合わせの概略図である。
【図５】図４に示すホルダー構成を示す概略図である。
【図６】本考案の第１実施形態のカメラ補助装置及びホルダーの組立を示す使用状態の概略図である。
【図７】本考案の第２実施形態に係るスマートフォン用カメラ補助装置構成とスマートフォンとの直接の結合を示す概略図である。
【図８】本考案の第２実施形態のカメラ補助装置の分解状態及びホルダーとの結合状態並びに使用状態を示す概略図である。
【考案を実施するための形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。なお、以下の実施形態において述べる上、下、左、右、前、後等の方向用語は、付随する図面における方向を示すためのものにすぎない。よって、これら前記方向用語は説明に用いられるのみにすぎず、本考案を制限するものではない。
【００１８】
［第１実施形態］
図１は本考案の第１実施形態に係るスマートフォン用カメラ補助装置の正面及び背面構成を示す概略図である。
図１の左側の正面構造図を参照する。スマートフォン用カメラ補助装置１００は把持部１２０及び無線通信ユニット１４０を備える。把持部１２０は手で握るのに適する曲面１２１と、側面部１２２と、携帯電話固定部１２４と、を有する。側面部１２２は曲面１２１と携帯電話固定部１２４との間に連接される。
図１の右側の背面構造図を参照する。携帯電話固定部１２４は２つの保持壁１２４１、１２４２及び凹部１２４３を有する。凹部１２４３は携帯電話固定部１２４の表面１２４６に位置される。２つの保持壁１２４１、１２４２の内側面１２４４、１２４５はそれぞれ携帯電話固定部１２４の表面１２４６に対して垂直になり、ケース３００（図３参照）またはホルダー１６０（図４参照）と組み合わせられる載置空間が定義される。
【００１９】
本実施形態では、把持部１２０の側面部１２２にはネジ１２８の回転を制御するようにネジ１２８に連結されるロックつまみ１２６を有する。ネジ１２８は凹部１２４３の内部から外に向けて携帯電話固定部１２４の表面１２４６に突出する。ある実施形態では、把持部１２０の携帯電話固定部１２４はカートリッジや貼着方式等の他の装設方式も提供し、把持部１２０をケースやホルダーに固定させるために用いられる。
【００２０】
無線通信ユニット１４０は把持部１２０上方に設置され、且つカメラボタン１４２を有する。使用者が手で把持部１２０を握り指でカメラボタン１４２を押すと、無線通信ユニット１４０が携帯電話に対して撮影命令を発信させる。ちなみに、本実施形態では、無線通信ユニット１４０はブルートゥース素子を備える。無線通信ユニット１４０とスマートフォンとの間は実体のある回路では接続されず、ブルートゥース信号によって撮影命令が伝送される。
【００２１】
図２に示されるように、把持部１２０の上部１２３には無線通信ユニット１４０を収容するためのやや傾斜する収容溝１２５を有する。収容溝１２５の両側の内壁にはバンプ１２７を各々有する。本実施形態では、無線通信ユニット１４０のケースの両側には溝部１４４を各々有し、溝部１４４がバンプ１２７に対応させることでスライド機構が構成され、無線通信ユニット１４０を把持部１２０の収容溝１２５中に装設させるために用いられる。
把持部１２０は収容溝１２５の外部に位置されるリリースボタン１２９を有し、リリースボタン１２９が押されると収容溝１２５中に装設された無線通信ユニット１４０が取り外される。使用時にリリースボタン１２９を押すことでスライド機構により無線通信ユニット１４０が収容溝１２５から脱離される（図２の矢印参照）。
【００２２】
図３は第１実施形態に係るカメラ補助装置１００及びケース３００の装設方式を示す概略図である。ケース３００の背面には凸部３１０を有し、凸部３１０の中央部にはネジ穴３２０を有する。装設においては、ケース３００を携帯電話固定部１２４に載せ、凸部３１０を携帯電話固定部１２４の凹部１２４３中に対応するように挿入させ、ネジ１２８をネジ穴３２０中に挿入させ、手でロックつまみ１２６を回してケース３００が携帯電話固定部１２４にロックされる。こうすると、ケース３００がカメラ補助装置１００に直接ロックされる。
【００２３】
図４はカメラ補助装置１００の他の使用方式を示す。まず、ホルダー１６０が携帯電話固定部１２４中に装設され、両者が組み合わせられた後、ホルダー１６０によりケース３００または携帯電話が挟持される。
図５は第１実施形態に係るカメラ補助装置１００、ホルダー１６０、及びケース３００が組み合わせられて使用される概略図を示す。
【００２４】
図６はホルダー１６０の構造を示す。ホルダー１６０は、伸縮構造１６２と、２つの挟持板１６４、１６６と、凸部１６７と、ネジ穴１６８と、を備える。２つの挟持板１６４、１６６は伸縮構造１６２の両端にそれぞれ位置される。凸部１６７はホルダー１６０の背面１６１に位置され、２つの挟持板１６４、１６６に背向される。ネジ穴１６８は凸部１６７に開設される。挟持板１６４、１６６は携帯電話を挟持させるために用いられ、伸縮構造１６２は携帯電話を挾むのに必要な収縮力を提供する。ネジ穴１６８は携帯電話固定部１２４のネジ１２８に対応させるために用いられる。
伸縮構造１６２はホルダー１６０の挟持距離を調整するために用いられ、異なる幅の携帯電話に適合させる。ホルダー１６０はケース３００に対向する面が平坦面１６３である。挟持板１６４、１６６は平坦面１６３から延出され、挟持板１６４、１６６がケース３００または携帯電話を挾むのに十分な収縮力を提供する。ホルダー１６０及びカメラ補助装置１００を組み合わせる場合、凸部１６７を携帯電話固定部１２４の凹部１２４３中に挿入させ、且つネジ１２８がネジ穴１６８中に螺入してロックし、ホルダー１６０の背面１６１を携帯電話固定部１２４の表面１２４６に貼り合わせる。
【００２５】
［第２実施形態］
図７は本考案の第２実施形態に係るスマートフォン用カメラ補助装置２００及びこれがケース４００に直接組み合わせられる概略図を示す。
第１実施形態と比較すると、カメラ補助装置２００には収容溝１２５とリリースボタン１２９の構造がなく、把持部２２０及び無線通信ユニット２４０の外観構造が共に第１実施形態とは異なる。無線通信ユニット２４０は把持部２２０の上部に水平に固定され、その上表面にカメラボタン２４２が設けられる。ロックつまみ２２６は把持部２２０の曲面２２２に設置される。第２実施形態に係るカメラ補助装置２００の分解図、及びこれとホルダー１６０、ケース４００、またはスマートフォンとの組み合わせ及び使用方式を示す（図８参照）。
【００２６】
以上を総合すると、本考案のカメラ補助装置は携帯電話に直接装設されるか、先にホルダーと組み合わせられた後、ホルダーを利用して携帯電話が挟持される。
本考案のカメラ補助装置により、スマートフォンを使用して撮影を行う際に、手で把持する安定性が増し、カメラボタンを押す利便性も向上する。また、本考案のカメラ補助装置は無線通信ユニットを有し、携帯電話と組み合わせられる際に、実体のある回路を接続する必要がなく、両者をより高速に組み合わせることが可能になる。
【００２７】
以上、本考案の実施形態について図面を参照して詳述したが、具体的な構成はこの実施形態に限られるものではなく、本考案の要旨を逸脱しない範囲の設計変更等も含まれる。
【符号の説明】
【００２８】
１００  カメラ補助装置
１２０  把持部
１２１  曲面
１２２  側面部
１２３  上部
１２４  携帯電話固定部
１２４１  保持壁
１２４２  保持壁
１２４３  凹部
１２４４  保持壁の内側面
１２４５  保持壁の内側面
１２４６  携帯電話固定部の表面
１２５  収容溝
１２６  ロックつまみ
１２７  バンプ
１２８  ネジ
１２９  リリースボタン
１４０  無線通信ユニット
１４２  カメラボタン
１４４  溝部
１６０  ホルダー
１６１  ホルダーの背面
１６２  伸縮構造
１６３  平坦面
１６４  挟持板
１６６  挟持板
１６７  凸部
１６８  ネジ穴
２００  カメラ補助装置
２２０  把持部
２２２  把持部の曲面
２２６  ロックつまみ
２４０  無線通信ユニット
２４２  カメラボタン
３００  ケース
３１０  凸部
３２０  ネジ穴
４００  ケース
【図１】
0003220346.tif 000003
【図２】
0003220346.tif 000004
【図３】
0003220346.tif 000005
【図４】
0003220346.tif 000006
【図５】
0003220346.tif 000007
【図６】
0003220346.tif 000008
【図７】
0003220346.tif 000009
【図８】
0003220346.tif 000010